(57)【要約】【課題】断熱材の耐久性を向上させることが可能なバルコニー構造を得る。【解決手段】根太材４６、４８の高さを変えることによってバルコニー１６の床面１９Ａの水勾配Ｓが形成されている。さらに、当該根太材４６、４８の上フランジ部５２の上面５２Ａ側に断熱材６０が設けられ、断熱材６０の上面６０Ａ側に床下地材６２が設けられている。つまり、本実施形態では、断熱材６０は床下地材６２の下面６２Ｂ側に設けられている。このように、断熱材６０を床下地材６２の下面６２Ｂ側に設けることで、太陽光に対して断熱材６０の耐久性を向上させることができると共に、断熱材６０により屋内空間１８からの熱の伝導を抑制し、床下地材６２の下面６２Ｂ側において、結露の発生を抑制することが可能となる。【選択図】図３
2020117874.tif 000002
【特許請求の範囲】
【請求項１】
屋内空間又はインナガレージの上方側に配設されたバルコニーの床部の骨格を構成するメインフレームと、
前記メインフレームの一部を構成する梁部材に固定され、前記バルコニーの床面の水勾配を形成する根太材と、
前記根太材の上面側に設けられ、当該根太材の上方側と下方側とで熱の伝導を抑制する断熱材と、
前記断熱材の上面側に設けられ、前記バルコニーの床面の一部を構成する床下地材と、
前記床下地材の上面側に設けられ、前記バルコニーの床面を防水する防水材と、
を有するバルコニー構造。
【請求項２】
前記断熱材は、前記床下地材に接着され当該床下地材と一体に形成されている請求項１に記載のバルコニー構造。
【請求項３】
前記根太材は、前記水勾配に対して直交する方向に沿って配置されると共に当該水勾配に沿って複数配列され、前記根太材の高さは、前記水勾配に沿って個々に設定されている請求項１又は請求項２に記載のバルコニー構造。
【請求項４】
前記根太材の上面が前記水勾配と平行になるように形成され、当該根太材は前記水勾配に沿って配置されている請求項１又は請求項２に記載のバルコニー構造。
【発明の詳細な説明】
【技術分野】
【０００１】
本発明は、バルコニー構造に関する。
【背景技術】
【０００２】
特許文献１には、バルコニー等の床面に用いられる防水用複合被覆体として、基体上に断熱層（以下、「断熱材」という）、野地板層、繊維強化樹脂層及び仕上材層が順番に積層され、バルコニーの床面の排水を行うための水勾配が、当該断熱材に形成された技術が開示されている。そして、このような構成により、先行技術では、バルコニーの床面において、排水性、耐侯性、耐水性等の防水性能や平滑性等の美観を向上させるというものである。
【先行技術文献】
【特許文献】
【０００３】
【特許文献１】特開２００５−２６４４６７号公報
【発明の概要】
【発明が解決しようとする課題】
【０００４】
しかしながら、上記先行技術では、前述のように、バルコニーの床面の排水を行うための水勾配が断熱材に形成されているため、断熱材自体に水勾配の加工が必要となり、水勾配の加工分、当該断熱材がコストアップしてしまう。また、断熱材において、水勾配が形成されているため、バルコニーの根元部側と自由端部側とで断熱材の肉厚が異なり、断熱材の耐久性について、さらなる改善の余地がある。
【０００５】
本発明は上記事実を考慮し、断熱材の耐久性を向上させることが可能なバルコニー構造を得ることを目的とする。
【課題を解決するための手段】
【０００６】
第１の態様に係るバルコニー構造は、屋内空間又はインナガレージの上方側に配設されたバルコニーの床部の骨格を構成するメインフレームと、前記メインフレームの一部を構成する梁部材に固定され、前記バルコニーの床面の水勾配を形成する根太材と、前記根太材の上面側に設けられ、当該根太材の上方側と下方側とで熱の伝導を抑制する断熱材と、前記断熱材の上面側に設けられ、前記バルコニーの床面の一部を構成する床下地材と、前記床下地材の上面側に設けられ、前記バルコニーの床面を防水する防水材と、を有している。
【０００７】
第１の態様に係るバルコニー構造では、屋内空間又はインナガレージの上方側に配設されたバルコニーの床部の骨格を構成するメインフレームを備えている。このメインフレームの一部を構成する梁部材には、当該バルコニーの床面の水勾配を形成する根太材が固定されており、根太材の上面側には、当該根太材の上方側と下方側とで熱の伝導を抑制する断熱材が設けられている。また、当該断熱材の上面側には、バルコニーの床面の一部を構成する床下地材が設けられており、当該床下地材の上面側には、バルコニーの床面を防水する防水材が設けられている。
【０００８】
すなわち、本態様では、根太材によってバルコニーの床面の水勾配が形成されている。つまり、水勾配は根太材の高さによって形成されることとなり、バルコニーの根元部側と自由端部側とで根太材の高さが異なることとなる。このように、根太材の高さを変えることで水勾配を形成した場合、断熱材の肉厚差によって当該水勾配を形成した場合と異なり、根太材の高さが当該根太材の耐久性に及ぼす影響は小さい。
【０００９】
そして、本発明では、当該根太材の上面側に断熱材が設けられており、当該断熱材は床下地材の下面側に設けられている。バルコニーは屋外に設置されるため、太陽光による熱によって、バルコニーの床部の温度は上昇する。比較例として、例えば、バルコニーの床部の上面側に断熱材が設けられた場合、断熱材は熱に弱いため、当該断熱材が溶融する可能性が生じる。
【００１０】
このため、本態様では、断熱材は床下地材の下面側に設けられている。これにより、断熱材の耐久性を向上させることが可能となり、バルコニー側と屋内空間又はインナガレージ側との間で熱影響の抑制を維持することが可能となる。
【００１１】
第２の態様に係るバルコニー構造は、第１の態様に係るバルコニー構造において、前記断熱材は、前記床下地材に接着され当該床下地材と一体に形成されている。
【００１２】
第２の態様に係るバルコニー構造では、断熱材が床下地材に接着され、床下地材と一体に形成されているため、断熱材と床下地材とが別々に設けられた場合と比較して、根太材の上面に断熱材及び床下地材を一度に取付けることができるため、作業効率がよい。
【００１３】
第３の態様に係るバルコニー構造は、第１の態様又は第２の態様に係るバルコニー構造において、前記根太材は、前記水勾配に対して直交する方向に沿って配置されると共に当該水勾配に沿って複数配列され、前記根太材の高さは、前記水勾配に沿って個々に設定されている。
【００１４】
第３の態様に係るバルコニー構造では、根太材は、バルコニーの床面の水勾配に対して直交する方向に沿って配置されると共に当該水勾配に沿って複数配列されている。また、根太材の高さは、水勾配に沿って個々に設定されている。
【００１５】
つまり、当該水勾配の上流側は、水勾配の下流側よりも根太材の高さが高くなるように設定されている。例えば、断熱材自体に水勾配を加工すると、加工費用が別途発生するが、本態様では、高さの異なる根太材を水勾配に沿って配列するだけなので、根太材を加工する必要が無く、安価に対応が可能となる。
【００１６】
第４の態様に係るバルコニー構造は、第１の態様又は第２の態様に係るバルコニー構造において、前記根太材の上面が前記水勾配と平行になるように形成され、当該根太材は前記水勾配に沿って配置されている。
【００１７】
第４の態様に係るバルコニー構造では、根太材の上面がバルコニーの床面の水勾配と平行になるように形成されており、当該根太材は水勾配に沿って配置されている。つまり、根太材を梁部材に固定するだけで、当該根太材によって水勾配が形成されることとなる。
【発明の効果】
【００１８】
以上説明したように、本発明に係るバルコニー構造は、断熱材の耐久性を向上させることができる、という優れた効果を有する。
【図面の簡単な説明】
【００１９】
【図１】（Ａ）は、本実施形態に係るバルコニー構造が適用された建物の平面図であり、（Ｂ）には、建物の正面図、（Ｃ）には、建物の右側面図である。
【図２】本実施形態に係るバルコニー構造のメインフレームを示す平面図である。
【図３】図１（Ａ）に示すＡ−Ａ線に沿って切断したときの断面図が示されている。
【図４】本実施形態に係るバルコニー構造の要部が拡大された要部拡大断面図である。
【図５】（Ａ）は、本実施形態に係るバルコニー構造の変形例を示す建物の平面図であり、（Ｂ）には、建物の正面図、（Ｃ）には、建物の右側面図である。
【図６】図５（Ａ）に示すＢ−Ｂ断面に沿って切断したときの状態で斜め前方側から見た根太材８２の斜視図が示されている。
【発明を実施するための形態】
【００２０】
以下、図面を用いて、本実施の形態に係るバルコニー構造について説明する。
（バルコニー構造の構成）
【００２１】
まず、本実施の形態に係るバルコニー構造の構成について説明する。
図１（Ａ）には、例えば、本実施形態に係るバルコニー構造が適用された建物１０の平面図が示されており、図１（Ｂ）には、建物１０の正面図が示され、図１（Ｃ）には、建物１０の右側面図が示されている。図１（Ａ）〜（Ｃ）に示されるように、当該建物１０は、１階部分１２及び２階部分１４を含んで構成されており、２階部分１４にはバルコニー１６が設けられている。なお、当該バルコニー１６の下方側には、１階部分１２において、屋内空間１８が設けられている。
【００２２】
本実施形態では、図３に示されるように、バルコニー１６は、当該バルコニー１６の床部１９を構成するメインフレーム２０を備えている。なお、図３は、図１に示すＡ−Ａ線に沿って切断したときの断面図が示されている。当該メインフレーム２０は、図２に示されるように、平面視で矩形枠状を成しており、長辺側を構成し互いに対向する一対の床大梁２２、２４と、短辺側を構成し互いに対向する一対の床大梁２６、２８と、を備えている。なお、図２には、当該メインフレーム２０の平面図が示されている。
【００２３】
また、図２に示されるように、短辺側の床大梁２６、２８と長辺側の床大梁２２、２４は、互いに結合されており、床大梁２２と床大梁２４の間には、当該床大梁２２、２４の長手方向に沿って所定の間隔で配置された床小梁３０が複数設けられている。なお、以下の説明において、床大梁２２、２４、２６、２８について、短辺側又は長辺側の区別を行わない場合、単に床大梁３２と称する。
【００２４】
そして、当該床大梁２２、２４、２６、２８が、図３に示す１階部分１２の天井部１３の一部を構成する天井大梁１５、１７等の上にそれぞれ配置されている。なお、図３には、長辺側の床大梁２２、２４が図示されており、天井大梁は、当該床大梁２２、２４に対応して長辺側の天井大梁１５、１７が図示されている。また、天井部１３には、グラスウール等の断熱材２９が設けられた天井断熱材領域Ａが設けられている。そして、２階部分１４の床大梁２１もバルコニー１６の床大梁３２と同様に、１階部分１２の天井大梁１５等の上に配置されている。
【００２５】
ここで、図３に示されるように、当該床大梁３２は、それぞれ溝形鋼が用いられている。また、床大梁３２は、当該床大梁３２の中央部を構成し建物１０の高さ方向に沿って配置されるウエブ部３４と、床大梁３２の上部を構成し当該ウエブ部３４の上端から水平方向に沿って張り出す上フランジ部３６と、床大梁３２の下部を構成し当該ウエブ部３４の下端から水平方向に沿って張り出す下フランジ部３８と、を含んで構成されている。
【００２６】
一方、床小梁３０は、角鋼が用いられており、床小梁３０の中央部を構成し建物１０の高さ方向に沿って配置され互いに対向する一対の側壁部４０と、床小梁３０の上部を構成し一対の側壁部４０の上端を繋ぐ上壁部４２と、床小梁３０の下部を構成し一対の側壁部４０の下端を繋ぐ下壁部４４と、を含んで構成されている。
【００２７】
そして、図３、図４に示されるように、当該床大梁３２の上フランジ部３６及び床小梁３０の上壁部４２には、それぞれ根太材４６、４８が固定されている。当該根太材４６、４８は、例えば、溝形鋼が用いられており、当該根太材４６、４８の中央部を構成し建物１０の高さ方向に沿って配置されるウエブ部５０と、根太材４６、４８の上部を構成し当該ウエブ部５０の上端から水平方向に沿って張り出す上フランジ部５２と、根太材４６、４８の下部を構成し当該ウエブ部５０の下端から水平方向に沿って張り出す下フランジ部５４と、を含んで構成されている。さらに、上フランジ部５２及び下フランジ部５４の先端からは、互いに近接する方向へ向かってリップ部５６、５８がそれぞれ延出している。なお、当該リップ部５６、５８は必ずしも必要ではない。
【００２８】
また、本実施形態では、根太材４６、４８の下フランジ部５４が、それぞれ床大梁３２の上フランジ部３６、床小梁３０の上壁部４２に固定されている。また、根太材４６は、根太材４８よりも高さ方向の寸法が低くなっており、根太材４６の高さ寸法はＨ１、根太材４８の高さ寸法はＨ２（＞Ｈ１）となっている。そして、当該根太材４６は、根太材４８よりもバルコニー１６の自由端部１６Ａ側に配置されている。つまり、本実施形態では、根太材４６、４８の高さによって、バルコニー１６の床部１９の床面１９Ａの水勾配Ｓが形成される。
【００２９】
なお、ここでは、メインフレーム２０に対して二つの根太材４６、４８が挙げられているが、本実施形態における根太材は、バルコニー１６の床面１９Ａの水勾配Ｓに沿って高さを変えて設けられるため、当該根太材４６、４８に限るものではない。
【００３０】
また、根太材４６、４８の上フランジ部５２の上面５２Ａには、シート状の断熱材６０が設けられている。当該断熱材６０は、根太材４６、４８の上方側と下方側とで熱の伝導を抑制するように設定されており、当該断熱材６０には、例えば、軟質系のポリエチレンフォームが用いられている。このため、当該断熱材６０は、根太材４６、４８の上フランジ部５２の上面５２Ａの形状に沿って弾性変形し、当該根太材４６、４８の上フランジ部５２の上面５２Ａに対して密着した状態で配置されている。
【００３１】
さらに、断熱材６０の上面６０Ａ側には、バルコニー１６の床面１９Ａの一部を構成する床下地材６２が設けられている。床下地材６２には、例えば、ＲＢＲと称される合板やパーティクルボード等が用いられる。そして、床下地材６２の上面６２Ａ側には、バルコニー１６の床面１９Ａを防水する防水材６４が設けられており、当該防水材６４には、例えば、ＤＮ鋼板が用いられる。
【００３２】
一方、図３に示されるように、バルコニー１６の床部１９の外縁に配置された長辺側の床大梁２２（バルコニー１６の自由端部１６Ａ）及び短辺側の床大梁２６、２８（図２参照）のウエブ部３４の外側には、腰壁部６６が設けられている。
【００３３】
また、バルコニー１６の根元部１６Ｂ側には、建物１０の２階部分１４の屋内空間６８内において、サッシ下枠７０が設けられており、サッシ下枠７０の上面７０Ａは、バルコニー１６の床面１９Ａよりも高い位置となるように設定されている。そして、サッシ下枠７０の屋内空間６８側には、防水立上り部７２が設けられている。さらに、サッシ下枠７０の下方側には、水切り７４が設けられており、屋内空間６８と屋外７６を区画する窓等を伝って落下して水がバルコニー１６の床面１９Ａ側に落下するように構成されている。
【００３４】
（バルコニー構造の作用及び効果）
次に、本実施の形態に係るバルコニー構造の作用及び効果について説明する。
【００３５】
図３、図４に示されるように、本実施形態では、根太材４６、４８によってバルコニー１６の床面１９Ａの水勾配Ｓが形成されている。つまり、本実施形態では、根太材４６の高さ寸法（Ｈ１）及び根太材４８の高さ寸法（Ｈ２）をそれぞれ変えることによって、バルコニー１６の床面１９Ａの水勾配Ｓが形成される。
【００３６】
さらに具体的に説明すると、本実施形態では、バルコニー１６の水勾配Ｓを形成するに当たって、根太材４６、４８が、バルコニー１６の床面１９Ａの水勾配Ｓに対して直交する方向に沿って配置されると共に、当該水勾配Ｓに沿って複数配列されている。
【００３７】
ここで、根太材４８の高さ寸法（Ｈ１）は、根太材４６の高さ寸法（Ｈ２）よりも高さが高くなるように形成されている（Ｈ１＜Ｈ２）。このため、当該根太材４８は、根太材４６よりもバルコニー１６の根元部１６Ｂ側に配置され、水勾配Ｓの上流側（バルコニー１６の根元部１６Ｂ側）は、水勾配Ｓの下流側（バルコニー１６の自由端部１６Ａ側）よりも根太材の高さ寸法が高くなるように設定されている。
【００３８】
これにより、バルコニー１６の床部１９の床面１９Ａにおいて水勾配Ｓが形成され、バルコニー１６の床面１９Ａ上の水は、当該水勾配Ｓに従ってバルコニー１６の根元部１６Ｂ側から自由端部１６Ａ側へ向かって矢印Ａ方向（図１（Ａ）参照）に沿って案内されることとなる。
【００３９】
そして、バルコニー１６の床面１９Ａ上の水が、バルコニー１６の自由端部１６Ａ側へ到達すると、バルコニー１６の長手方向（矢印Ｂ方向、図１（Ａ）参照）に沿って、バルコニー１６の床部１９の一角に向かって案内される。当該床部１９の一角には排水孔７８（図１（Ａ）参照）が設けられており、当該排水孔７８を通じて、当該バルコニー１６の床面１９Ａ上の水は建物１０の外側へ排出される。
【００４０】
以上のように、本実施形態では、根太材４６、４８によってバルコニー１６の床面１９Ａの水勾配Ｓが形成されている。つまり、水勾配Ｓは根太材４６、４８の高さによって形成されることとなり、バルコニー１６の根元部１６Ｂ側と自由端部１６Ａ側とで根太材４６、４８の高さが異なっている。
【００４１】
このように、根太材４６、４８の高さを変えることで水勾配Ｓを形成した場合、断熱材６０の肉厚差によって当該水勾配Ｓを形成した場合と異なり、根太材４６、４８の高さが当該根太材４６、４８の耐久性に及ぼす影響は小さいため、結果的にバルコニー１６自体の寿命が向上する。
【００４２】
また、本実施形態では、当該根太材４６、４８の上フランジ部５２の上面５２Ａ側に断熱材６０が設けられ、断熱材６０の上面６０Ａ側に床下地材６２が設けられている。つまり、本実施形態では、断熱材６０は床下地材６２の下面６２Ｂ側に設けられている。
【００４３】
バルコニー１６は屋外７６に設置されるため、太陽光による熱等によって、バルコニー１６の床部１９の温度は上昇する。このため、比較例として、例えば、図示はしないが、バルコニー１６の床部１９の床面１９Ａ側に断熱材６０が設けられた場合、断熱材６０は熱に弱いため、当該断熱材６０が溶融する可能性が生じる。
【００４４】
さらに、本実施形態では、バルコニー１６の下方側には、１階部分１２において屋内空間１８が設けられている。このため、屋内空間１８からの湿気はバルコニー１６の床部１９側へ上昇するようになっている。一般に、バルコニー１６は、建物１０の南面に設置されることが多く、太陽光で暖められた湿気は、当該屋内空間１８からバルコニー１６側へ上昇し、放射冷却により冷やされた防水材６４との間で床下地材６２の下面６２Ｂ側に結露が発生しやすくなる。
【００４５】
したがって、本実施形態では、図３、図４に示されるように、断熱材６０は、床下地材６２の下面６２Ｂ側に設けられている。このように、断熱材６０を床下地材６２の下面６２Ｂ側に設けることで、太陽光に対して断熱材６０の耐久性を向上させることができると共に、断熱材６０により屋内空間１８からの熱の伝導を抑制し、床下地材６２の下面６２Ｂ側において、結露の発生を抑制することが可能となる。これにより、バルコニー１６側と屋内空間１８との間で熱影響の抑制を維持することが可能となる。
【００４６】
なお、本実施形態では、バルコニー１６の下方側が屋内空間１８としているが、これ以外に、例えば、図示はしないが、バルコニー１６の下方側がインナガレージ、アルコーブの場合であっても屋内空間１８の場合と同様の効果が得られる。
【００４７】
また、根太材４６、４８の上フランジ部５２の上面５２Ａには、シート状の断熱材６０が設けられており、本実施形態では、当該断熱材６０として、軟質系のポリエチレンフォームが用いられている。このため、本実施形態では、当該断熱材６０は、根太材４６、４８の上フランジ部５２の上面５２Ａの形状に沿って弾性変形して、当該根太材４６、４８の上フランジ部５２の上面５２Ａに対して密着した状態で設けられる。
【００４８】
このように、根太材４６、４８の上フランジ部５２の上面５２Ａに対して、断熱材６０が密着した状態で設けられることで、根太材４６、４８において、熱橋対策を図ることができ、根太材４６、４８の上方側と下方側とで熱の伝導を抑制することができる。
【００４９】
また、比較例として、例えば、図示はしないが、バルコニー１６の水勾配Ｓを形成するに当たって、断熱材自体に水勾配Ｓを加工したとする。この場合、断熱材に水勾配Ｓを加工する分の費用が別途発生することとなる。
【００５０】
これに対して、本実施形態では、前述のように、バルコニー１６の床面１９Ａの水勾配Ｓを形成するに当たって、当該水勾配Ｓに対して直交する方向に沿って複数配置された根太材４６、４８の高さ寸法を、バルコニー１６の水勾配Ｓに沿って変えている。つまり、本実施形態では、高さの異なる根太材４６、４８を水勾配Ｓに沿って配列するだけなので、根太材４６、４８を加工する必要が無く、安価に対応が可能となる。
【００５１】
なお、断熱材６０は、床下地材６２に接着され当該床下地材６２と一体に形成されてもよい。これにより、図示はしないが、断熱材６０と床下地材６２とが別々に設けられた場合と比較して、根太材４６、４８の上フランジ部５２の上面５２Ａに断熱材６０及び床下地材６２を一度に取付けることができるため、作業効率がよい。
【００５２】
また、本実施形態では、前述のように、バルコニー１６の床面１９Ａの水勾配Ｓを形成するに当たって、当該水勾配Ｓに対して直交する方向に沿って複数配置された根太材４６、４８の高さ寸法を、バルコニー１６の水勾配Ｓに沿って変えているが、これに限るものではない。
【００５３】
例えば、図５（Ａ）には、本実施形態に係るバルコニー構造の変形例としての建物８０の平面図が示されており、図５（Ｂ）には、建物８０の正面図が示され、図５（Ｃ）には、建物８０の右側面図が示されている。また、図６は、図５（Ａ）に示されるＢ−Ｂ断面に沿って切断したときの状態で斜め前方側から見た根太材８２の斜視図が示されている。
【００５４】
図６に示される根太材８２が、図５（Ａ）〜（Ｃ）に示されるバルコニー８４の床部８６の床面８６Ａの水勾配Ｓ’と平行になるように配置されてもよい。
【００５５】
このため、図５（Ａ）、図６に示されるように、当該根太材８２は、ウエブ部８８の高さ寸法が水勾配Ｓ’に対応して根太材８２の長手方向に沿って変わっており、水勾配Ｓ’の上流側（バルコニー８４の長手方向の中央部９０側）は、水勾配Ｓ’の下流側（バルコニー８４の長手方向の端部９２側）よりも根太材８２のウエブ部８８の高さ寸法が高くなるように設定されている。これにより、バルコニー８４の床面８６Ａ上の水は、当該水勾配Ｓ’に従ってバルコニー８４の長手方向の中央部９０から端部９２側へ向かって矢印Ｃ方向に沿って案内されることとなる。
【００５６】
そして、バルコニー８４の床面８６Ａ上の水が、バルコニー８４の長手方向の端部９２側へ到達すると、バルコニー８４の床部８６の一角に向かって案内される。当該床部８６の一角には、排水孔９４がそれぞれ設けられており、当該排水孔９４を通じて、当該バルコニー８４の床面８６Ａ上の水は建物８０の外側へ排出される。
【符号の説明】
【００５７】
１０    建物
１６    バルコニー
１８    屋内空間
１９    床部
１９Ａ  床面
２０    メインフレーム
２２    床大梁（梁部材）
２４    床大梁（梁部材）
２６    床大梁（梁部材）
３０    床小梁（梁部材）
３２    床大梁（梁部材）
４６    根太材
４８    根太材
５２Ａ  上面（根太材の上面）
６０    断熱材
６０Ａ  上面（断熱材の上面）
６２    床下地材
６２Ａ  上面（床下地材の上面）
６２Ｂ  下面（床下地材の下面）
６４    防水材
８０    建物
８２    根太材
８４    バルコニー
８６    床部
８６Ａ  床面
Ｓ      水勾配
Ｓ’    水勾配
【図１】
2020117874.tif 000003
【図２】
2020117874.tif 000004
【図３】
2020117874.tif 000005
【図４】
2020117874.tif 000006
【図５】
2020117874.tif 000007
【図６】
2020117874.tif 000008